(57)【要約】【課題】本発明は、使用者の身体状況を有効的に調節することができる多機能電子装置を提供することを目的とする。【解決手段】本発明に係る多機能電子装置は、使用者の生理信号を獲得する検知モジュールと、前記検知モジュールからの生理信号を生理指標に変換する信号処理モジュールと、前記信号処理モジュールからの生理指標が設定範囲に属するかを判断する制御モジュールと、前記生理指標が設定範囲に属しない場合、使用者の身体状況に対して調節を行う娯楽モジュールとを備える。前記検知モジュール、前記信号処理モジュール及び前記制御モジュールは、順次に電気接続され、前記娯楽モジュールは、前記制御モジュールに電気接続される。【選択図】図１
2010119841.tif 000002
【特許請求の範囲】
【請求項１】
使用者の生理信号を獲得する検知モジュールと、
前記検知モジュールからの生理信号を生理指標に変換する信号処理モジュールと、
前記信号処理モジュールからの生理指標が設定範囲に属するかを判断する制御モジュールと、
前記生理指標が設定範囲に属しない場合、使用者の身体状況に対して調節を行う娯楽モジュールとを備え、
前記検知モジュール、前記信号処理モジュール及び前記制御モジュールは、順次に電気接続され、前記娯楽モジュールは、前記制御モジュールに電気接続されることを特徴とする多機能電子装置。
【請求項２】
前記制御モジュールに電気接続されており、使用者の身体状況を判断するための生理指標または生理指標範囲、前記生理指標または前記生理指標範囲に対応する分類が記憶されているデータベースをさらに備えることを特徴とする請求項１に記載の多機能電子装置。
【請求項３】
前記制御モジュールに電気接続されて使用者の生理指標を表示する表示モジュールと、前記制御モジュールに電気接続されて使用者の生理指標を記憶する記憶モジュールとをさらに備えることを特徴とする請求項２に記載の多機能電子装置。
【請求項４】
前記娯楽モジュールは、音楽放送モジュール又は／及びゲームモジュールのようなマルチメディアであることを特徴とする請求項１に記載の多機能電子装置。
【請求項５】
前記生理指標は、心拍、脈拍、体温、皮膚電気抵抗中の一項または少なくとも二項以上の組合せであることを特徴とする請求項１に記載の多機能電子装置。
【発明の詳細な説明】
【技術分野】
【０００１】
本発明は、多機能電子装置、特に使用者の身体状況を調節する機能を有する電子装置に関するものである。
【背景技術】
【０００２】
無線通信技術及び信号処理技術の発展に従って、使用者に利便を与える携帯電話、個人用携帯情報端末（ＰＤＡ）、コンピュータなどのような電子装置が大量に出現した。使用者は、工作、学習、娯楽するために、前記電子装置を長時間に操作する。このような長時間の操作は、使用者に疲労を招き、且つ健康を危害する大量の電磁気波輻射も受ける。
【０００３】
従来の電子装置は、定時に休息通知（例えば、音声、振動など）を発信して、使用者に指摘する。しかしながら、前記電子装置は、使用者の目前の身体状況を検知する機能がないから、使用者の身体状況に基づいて使用者の休息時間を効果的に調節することができない。また、前記電子装置が不適当な時間に使用者に休息通知を発信すると、使用者の工作、学習、娯楽などに不利な影響を与える不具合がある。
【発明の概要】
【発明が解決しようとする課題】
【０００４】
以上の問題点に鑑みて、本発明は、使用者の身体状況を有効的に調節することができる多機能電子装置を提供することを目的とする。
【課題を解決するための手段】
【０００５】
前記問題を解決するために、本発明に係る多機能電子装置は、使用者の生理信号を獲得する検知モジュールと、前記検知モジュールからの生理信号を生理指標に変換する信号処理モジュールと、前記信号処理モジュールからの生理指標が設定範囲に属するかを判断する制御モジュールと、前記生理指標が設定範囲に属しない場合、使用者の身体状況に対して調節を行う娯楽モジュールとを備える。前記検知モジュール、前記信号処理モジュール及び前記制御モジュールは、順次に電気接続され、前記娯楽モジュールは、前記制御モジュールに電気接続される。
【発明の効果】
【０００６】
本発明に係る多機能電子装置１００は、使用者の生理信号を獲得してから生理指標に変換するため、使用者は、自身の身体状況を迅速及び便利に分かると共に、生理指標に基づいて使用者の身体状況が正常であるかどうかを判断し、前記身体状況が非正常であれば、使用者の身体状況に対して調節を行う。
【図面の簡単な説明】
【０００７】
【図１】本発明に係る多機能電子装置の機能ブロック図である。
【図２】本発明に係る多機能電子装置の作業のフローチャートである。
【発明を実施するための形態】
【０００８】
以下、図面に基づいて、本発明の実施例に係る多機能電子装置及びその使用方法について詳細に説明する。
【０００９】
本発明に係る多機能電子装置は、コンピュータ、携帯電話、ゲーム機などのような電子装置である。前記多機能電子装置は、使用者の生理信号を検知してから対応する生理指標に変換し、前記生理指標が異常（不健康の状況）である時、使用者の身体状況に対して調節を行う。
【００１０】
図１を参照すると、本発明に係る多機能電子装置１００は、検知モジュール１０と、信号処理モジュール２０と、データベース３０と、制御モジュール４０と、娯楽モジュール５０と、表示モジュール６０と、記憶モジュール７０とを備える。前記検知モジュール１０、前記信号処理モジュール２０及び前記制御モジュール４０は順次に電気接続され、前記データベース３０、前記娯楽モジュール５０、前記表示モジュール６０及び前記記憶モジュール７０は、すべて前記制御モジュール４０に電気接続されている。
【００１１】
前記検知モジュール１０は、前記多機能電子装置１００の使用過程で使用者の生理信号を検知する。前記検知モジュール１０は、心拍計（Ｃａｒｄｉｏｔａｃｈｏｍｅｔｅｒ）、体温計（Ｔｈｅｒｍｏｍｅｔｅｒ）、皮膚電気抵抗測定計又はこれらの組合せである。前記検知モジュール１０は、前記多機能電子装置１００における使用者が常に接触する部位（例えば、キーポート、マウスのような入力装置）に設置され、且つ前記検知モジュール１０の検知点は、前記入力装置の表面に設置されるため、前記多機能電子装置１００の使用過程で使用者の少なくとも一種類の生理信号（例えば、心拍、脈拍、体温及び皮膚電気抵抗など）を容易に検知することができる。
【００１２】
前記信号処理モジュール２０は、前記検知モジュール１０からの生理信号に対してサンプリングしてから、即ち、アナログ信号をデータ信号に変換してから、さらに前記データ信号を対応する生理指標に変換し、前記生理指標を前記制御モジュール４０に伝送する。
【００１３】
前記データベース３０には、それぞれの生理指標又は生理指標の範囲及び前記生理指標又は前記生理指標の範囲に対応される分類が記録されている。使用者は、生理指標又は生理指標の範囲に基づいて、自身の身体状況を健康又は不健康に分類することができる。例えば、前記検知モジュール１０の獲得した生理信号が心拍及び脈拍である場合、一般的に成人の正常的な心拍数及び脈拍数が６０〜１００拍／分であるから、前記心拍数及び脈拍数が６０〜１００拍／分であれば、使用者の身体状況は健康であるが、前記心拍数及び脈拍数が６０拍／分未満または１００拍／分以上であれば、使用者の身体状況は不健康である。前記不健康状況を頻脈の状況及び徐脈の状況にさらに分類することもできる。なお、前記生理指標の範囲は、使用者の自身の身体状況及び異なる生理信号に対応する生理指標に基づいて設定及び分類されることもできる。
【００１４】
前記制御モジュール４０は、前記データベース３０に記録された分類設定に基づいて使用者の生理指標に対して分類及び判断する。例えば、使用者の心拍数及び脈拍数が６０拍／分未満または１００拍／分以上の場合、前記制御モジュール４０は、使用者の身体状況を不健康だと判断する。この時、前記制御モジュール４０は前記娯楽モジュール５０を起動して使用者の身体状況に対して調節を行う。
【００１５】
前記娯楽モジュール５０は、使用者の身体状況が不健康である場合、使用者の身体状況に対して調節を行う。前記娯楽モジュール５０は、音楽放送又はゲーム可能のマルチメディアである。前記娯楽モジュール５０の音楽放送モジュール（図示せず）及びゲームモジュール（図示せず）は、前記データベース３０の分類に対応される。例えば、使用者の身体状況が不健康である場合、心拍数が１００拍／分以上の時、前記娯楽モジュール５０は音楽放送モジュールを起動し、心拍数が６０拍／分未満の時、前記娯楽モジュール５０はゲームモジュールを起動する。前記音楽放送モジュール又はゲームモジュールは、使用者の興味によって予め設定されることができる。
【００１６】
前記表示モジュール６０は、使用者の生理指標の情報を直観的に表示する。前記表示モジュール６０は、コンピュータの表示装置又は携帯電話の表示パネルであることができる。
【００１７】
前記記憶モジュール７０は、使用者の生理指標の情報を記憶して、使用者の身体状況に関する資料のデータベースを確立する。使用者は、前記データベース３０から前記記憶モジュール７０の生理指標情報を読出して、自身のある時間内の身体状況を了解し、主動措置を取って不健康状況が持続されることを防止する。
【００１８】
以下、図１及び図２に基づいて、本発明の実施例に係る多機能電子装置１００を用いて使用者の身体状況を調節する方法について詳細に説明する。前記多機能電子装置１００を用いて使用者の身体状況を調節する方法は、以下のようなステップ（Ｓ１〜Ｓ６）を具備する。
【００１９】
ステップＳ１において：前記検知モジュール１０は、使用者が前記多機能電子装置１００を使用する過程で使用者の生理信号を検知して前記信号処理モジュール２０に伝送する。
【００２０】
ステップＳ２において：前記信号処理モジュール２０は、前記検知モジュール１０からの生理信号に対してサンプリングしてから、即ち、アナログ信号をデータ信号に変換してから、さらに前記データ信号を対応する生理指標に変換し、前記生理指標を前記制御モジュール４０に伝送する。
【００２１】
ステップＳ３において：前記制御モジュール４０は、前記生理指標を前記表示モジュール６０に表示すると共に、前記生理指標を前記記憶モジュール７０に記憶する。
【００２２】
ステップＳ４において：前記制御モジュール４０は、前記データベース３０の分類に基づいて前記生理指標が正常であるかどうかを判断する。前記生理指標が正常であれば、再度前記ステップＳ１に戻って続いて使用者の生理信号を検知し、前記生理指標が非正常であれば、次のステップ（即ち、ステップＳ５）を行う。
【００２３】
ステップＳ５において：前記制御モジュール４０は、前記生理指標及び前記データベース３０のデータ情報をさらに分類する。
【００２４】
ステップＳ６において：前記制御モジュール４０は、前記生理指標に対応する分類に基づいて対応する娯楽モジュール５０を起動して、使用者の身体状況を調節する。即ち、音楽放送モジュールまたはゲームモジュールを起動する。また、前記音楽放送モジュール又はゲームモジュールは、使用者の興味によって予め設定することができる。
【００２５】
本発明に係る多機能電子装置１００が使用者の生理信号を獲得してから生理指標に変換するため、使用者は、自身の身体状況を迅速及び便利に分かると共に、生理指標に基づいて使用者の身体状況が正常であるかどうかを判断し、前記身体状況が非正常であれば、使用者の身体状況に対して調節を行う。
【００２６】
以上、本発明の好適な実施例について詳細に説明したが、本発明は前記実施例に限定されるものではなく、本発明の範囲内で種々の変形又は修正が可能であり、該変形又は修正も又、本発明の技術特徴の範囲内に含まれるものである。
【符号の説明】
【００２７】
１０・・・検知モジュール
２０・・・信号処理モジュール
３０・・・データベース
４０・・・制御モジュール
５０・・・娯楽モジュール
６０・・・表示モジュール
７０・・・記憶モジュール
１００・・多機能電子装置
【図１】
2010119841.tif 000003
【図２】
2010119841.tif 000004